(57)【要約】  安定したグランド性能、信号性能、及び電源性能等を得るとともに、小型化の要求に応えながらも作業性に優れ、堅牢性が高いコネクタ及びコネクタシステムを得る。  中実インシュレータ（３０）と、前記中実インシュレータ（３０）の表面の一部を被覆する１つ又は２つの導通部材（４０）と、を有し、前記中実インシュレータ（３０）と前記導通部材（４０）とは、互いに協働して、相手方コネクタ（５０）の嵌合凹部に嵌合する嵌合凸部を構成する、ことを特徴とするコネクタ。
2017064825.tif 000002
【特許請求の範囲】
【請求項１】
中実インシュレータと、
前記中実インシュレータの表面の一部を被覆する１つ又は２つの導通部材と、
を有し、
前記中実インシュレータと前記導通部材とは、互いに協働して、相手方コネクタの嵌合凹部に嵌合する嵌合凸部を構成する、
ことを特徴とするコネクタ。
【請求項２】
請求項１記載のコネクタにおいて、
前記嵌合凸部は、前記嵌合凹部の底面部に対向する略平坦部を有するコネクタ。
【請求項３】
請求項２記載のコネクタにおいて、
前記中実インシュレータは、長手方向の中間部に位置する中間平坦部を有し、
前記導通部材は、前記中間平坦部を長手方向の両側部から挟み込むように位置する両側平坦部を有し、
前記中間平坦部と前記両側平坦部とは、前記嵌合凸部の前記略平坦部を構成するコネクタ。
【請求項４】
請求項２または３記載のコネクタにおいて、
前記嵌合凹部の底面部は、前記嵌合凸部の前記略平坦部に微小クリアランスで対向する略平坦部からなるコネクタ。
【請求項５】
請求項１ないし４のいずれか１項記載のコネクタにおいて、
前記相手方コネクタは、前記嵌合凹部の内側面に相手方導通部材を臨ませており、
前記嵌合凸部を構成する前記導通部材は、前記嵌合凹部の内側面に対向して、前記相手方導通部材と互いに係合するコネクタ。
【請求項６】
請求項１ないし５のいずれか１項記載のコネクタにおいて、
前記中実インシュレータと前記導通部材を有する前記コネクタとは、略直方体形状をなしており、
前記導通部材は、前記中実インシュレータの前記略直方体形状の長手方向に離間した対向側面を被覆する対向側面被覆部を有しており、
前記中実インシュレータは、前記導通部材の前記対向側面被覆部の間に空隙を有していないコネクタ。
【請求項７】
互いに組み合わせて使用されるプラグコネクタとリセプタクルコネクタとを有するコネクタシステムであって、
前記プラグコネクタは、中実インシュレータと、前記中実インシュレータの表面の一部を被覆する１つ又は２つの導通部材と、を有し、
前記中実インシュレータと前記導通部材とは、互いに協働して、前記リセプタクルコネクタの嵌合凹部に嵌合する嵌合凸部を構成する、
ことを特徴とするコネクタシステム。
【発明の詳細な説明】
【関連出願の相互参照】
【０００１】
本出願は、２０１５年１０月１４日に日本国に特許出願された特願２０１５−２０２６５８の優先権を主張するものであり、これら先の出願の開示全体をここに参照のために取り込む。
【技術分野】
【０００２】
本発明は、基板接続用のコネクタ及びコネクタシステム、例えば、スマートフォン内部の基板とモジュールのグランド若しくは信号、又は電源との接続に適用される小極のコネクタ及びコネクタシステムに関する。
【背景技術】
【０００３】
従来の基板接続用のコネクタ及びコネクタシステムは、その基本構成として、多極のプラグコンタクトが収容された（埋め込まれた）プラグインシュレータを有するプラグコネクタと、多極のリセプタクルコンタクトが収容された（埋め込まれた）リセプタクルインシュレータを有するリセプタクルコネクタとを有している。また、例えばグランド接続又は電源等は、多極の基板対基板用コネクタの両端部に設けた金具同士を接触（接続）させて導通させている。【０００４】
プラグコネクタをリセプタクルコネクタに嵌め込むと、多極のプラグコンタクトと多極のリセプタクルコンタクトとがそれぞれ導通して信号線が形成され、両コネクタに接続された基板間における電気信号の伝送が可能になる。同時に、基板対基板用コネクタの両端部に設けた金具同士が接触（接続）してグランド接続又は電源等の機能が発揮される。
【先行技術文献】
【特許文献】
【０００５】
【特許文献１】特開２０１４−３８７６８号公報
【特許文献２】特許第５２５０４５０号公報
【発明の概要】
【発明が解決しようとする課題】
【０００６】
ところで、昨今ではスマートフォンのような携帯機器において、モジュール又はアンテナ等が高性能になるにつれて伝送特性の影響が大きくなっている。従って、誤動作を防止するためにも安定したグランド性能、信号性能、及び電源性能等が求められている。【０００７】
しかしながら、上記従来のコネクタ及びコネクタシステムは、コネクタ内で多極のコンタクト同士を接続し、さらに両端部の金具同士を接触（接続）する必要がある。このため、インシュレータに、嵌合を許容する凹凸形状と、多極のコンタクトを配置するための凹部、貫通孔、又は溝などの空間とを設けることが必須である。また、両端部の金具も嵌合等の制限により形状が複雑となり、これに伴って、金具の取付け対象であるインシュレータの両端部も複雑な形状になりがちである。その結果、インシュレータの形状と相まって金具部分のインピーダンスが高くなり、安定したグランド性能、信号性能、及び電源性能等を得ることが困難であった。【０００８】
また、コンタクトの多極化により、嵌合作業時の破壊等の堅牢性を向上させにくいという内在的な問題があり、小型で作業性に優れた高い嵌合保持力のコネクタ及びコネクタシステムに対する市場要求が存在する。【０００９】
本発明は、以上の問題意識に基づいてなされたものであり、安定したグランド性能、信号性能、及び電源性能等を得るとともに、小型化の要求に応えながらも作業性に優れ、堅牢性が高いコネクタ及びコネクタシステムを得ることを目的とする。
【課題を解決するための手段】
【００１０】
本発明のコネクタは、中実インシュレータと、前記中実インシュレータの表面の一部を被覆する１つ又は２つの導通部材と、を有し、前記中実インシュレータと前記導通部材とは、互いに協働して、相手方コネクタの嵌合凹部に嵌合する嵌合凸部を構成する、ことを特徴としている。【００１１】
前記嵌合凸部は、前記嵌合凹部の底面部に対向する略平坦部を有することができる。【００１２】
前記中実インシュレータは、長手方向の中間部に位置する中間平坦部を有し、前記導通部材は、前記中間平坦部を長手方向の両側部から挟み込むように位置する両側平坦部を有し、前記中間平坦部と前記両側平坦部とは、前記嵌合凸部の前記略平坦部を構成することができる。【００１３】
前記嵌合凹部の底面部は、前記嵌合凸部の前記略平坦部に微小クリアランスで対向する略平坦部から構成することができる。【００１４】
前記相手方コネクタは、前記嵌合凹部の内側面に相手方導通部材を臨ませており、前記嵌合凸部を構成する前記導通部材は、前記嵌合凹部の内側面に対向して、前記相手方導通部材と互いに係合することができる。【００１５】
前記中実インシュレータと前記導通部材を有する前記コネクタとは、略直方体形状をなしており、前記導通部材は、前記中実インシュレータの前記略直方体形状の長手方向に離間した対向側面を被覆する対向側面被覆部を有しており、前記中実インシュレータは、前記導通部材の前記対向側面被覆部の間に空隙を有していないことができる。【００１６】
本発明のコネクタシステムは、互いに組み合わせて使用されるプラグコネクタとリセプタクルコネクタとを有するコネクタシステムであって、前記プラグコネクタは、中実インシュレータと、前記中実インシュレータの表面の一部を被覆する１つ又は２つの導通部材と、を有し、前記中実インシュレータと前記導通部材とは、互いに協働して、前記リセプタクルコネクタの嵌合凹部に嵌合する嵌合凸部を構成する、ことを特徴としている。【００１７】
本明細書において、「中実インシュレータ」の「中実」とは、インシュレータの内部に多極のコンタクトが存在しない、すなわち、当該多極のコンタクトを収容する（埋め込む）ための溝又は凹部等が形成されていないことを意味する。従って、たとえインシュレータに微細な溝又は凹部等が形成されていたとしても、それが多極のコンタクトを収容する（埋め込む）ためのものでなければ、当該インシュレータは「中実インシュレータ」に該当する。
【発明の効果】
【００１８】
本発明によれば、安定したグランド性能、信号性能、及び電源性能等を得るとともに、小型化の要求に応えながらも作業性に優れ、堅牢性が高いコネクタ及びコネクタシステムが得られる。
【図面の簡単な説明】
【００１９】
【図１】プラグインシュレータとプラグ側導通部材とが結合したプラグコネクタを嵌合側から見た斜視図である。
【図２】プラグインシュレータとプラグ側導通部材とが結合したプラグコネクタを嵌合側と反対側から見た斜視図である。
【図３】プラグインシュレータとプラグ側導通部材とが分離したプラグコネクタを嵌合側から見た斜視図である。
【図４】プラグインシュレータとプラグ側導通部材とが分離したプラグコネクタを嵌合側と反対側から見た斜視図である。
【図５】リセプタクルインシュレータとリセプタクル側導通部材とが結合したリセプタクルコネクタを嵌合側から見た斜視図である。
【図６】リセプタクルインシュレータとリセプタクル側導通部材とが結合したリセプタクルコネクタを嵌合側と反対側から見た斜視図である。
【図７】リセプタクルインシュレータとリセプタクル側導通部材とが分離したリセプタクルコネクタを嵌合側から見た斜視図である。
【図８】リセプタクルインシュレータとリセプタクル側導通部材とが分離したリセプタクルコネクタを嵌合側と反対側から見た斜視図である。
【図９】プラグコネクタとリセプタクルコネクタとが嵌合した状態を示す斜視図である。
【図１０】プラグコネクタとリセプタクルコネクタとが分離した状態を示す斜視図である。
【図１１】プラグコネクタとリセプタクルコネクタとが嵌合した状態を示す平面図である。
【図１２】図１１のXII−XII線に沿う矢視断面図である。
【図１３】図１１のXIII−XIII線に沿う矢視断面図である。
【図１４】図１１のXIV−XIV線に沿う矢視断面図である。
【図１５】プラグコネクタの２つ（２ピン）のプラグ側導通部材を１つ（１ピン）にした変形例を示す図１に対応する斜視図である。
【図１６】リセプタクルコネクタのリセプタクル側導通部材の係合部（係合凸部、係合凹部）の両側に一対の電気接点を形成した変形例を示す図５に対応する斜視図である。
【発明を実施するための形態】
【００２０】
図１〜図１４を参照して、本実施形態のコネクタシステム１０について説明する。コネクタシステム１０は、互いに嵌合及び分離が可能なプラグコネクタ２０とリセプタクルコネクタ５０とを組み合わせて使用される。以下の説明中の方向（前、後、上、下、左、右）は、図中に記載した矢線の各方向を基準とする。プラグコネクタ２０から見た下方とリセプタクルコネクタ５０から見た上方とが「嵌合側」に相当し、プラグコネクタ２０から見た上方とリセプタクルコネクタ５０から見た下方とが「嵌合側と反対側」に相当する。
【００２１】
≪プラグコネクタ２０の構成≫
図１〜図４はプラグコネクタ２０の構成を示している。プラグコネクタ２０は、１つの中実プラグインシュレータ（中実インシュレータ）３０と２つのプラグ側導通部材（導通部材）４０とを有している。２つのプラグ側導通部材４０は同一形状である。
【００２２】
中実プラグインシュレータ３０は、絶縁性の合成樹脂材料で構成した成形品からなる。中実プラグインシュレータ３０は、左右方向（長手方向）の中間部に位置する仕切り壁部３１を有している。この仕切り壁部３１は、下方（嵌合側）を向いた中間平坦部３１Ａと、前方及び後方を向いた２つの側面平坦部３１Ｂと、中間平坦部３１Ａと側面平坦部３１Ｂとを繋ぐＲ形状部３１Ｃとを有している。中実プラグインシュレータ３０は、前後左右方向の四隅に位置し且つ下方（嵌合側）が丸みを帯びた四隅肉部３２を有している。仕切り壁部３１と四隅肉部３２との間には、三股形状に分岐した２つのプラグ側導通部材嵌込凹部（導通部材嵌込凹部）３３が形成されている。中実プラグインシュレータ３０の上方（嵌合側と反対側）には、左右方向に長く前後方向に短い十字型凸部３４が形成されている。この十字型凸部３４の周囲には、はんだ付け空間３５が形成されている。
【００２３】
２つのプラグ側導通部材４０は、それぞれ、中実プラグインシュレータ３０の２つのプラグ側導通部材嵌込凹部３３に嵌め込まれる三股形状を有している。２つのプラグ側導通部材４０は、それぞれ、下方（嵌合側）を向いた平坦部４１を有している。この平坦部４１には、前方及び後方を向き且つ前後方向に対向する２つの長手対向平坦部４２ＡがＲ形状部４３Ａを介して接続されている。この平坦部４１には、左方または右方を向いた短手平坦部４２ＢがＲ形状部４３Ｂを介して接続されている。２つのプラグ側導通部材４０の各短手平坦部４２Ｂは、「対向側面被覆部」である。長手対向平坦部４２Ａには、係合凸部４４Ａと係合凹部４４Ｂとからなる係合部４４が形成されている。係合凸部４４Ａの左右方向の幅は、係合凹部４４Ｂの左右方向の幅よりも短くなっている。短手平坦部４２Ｂには、係合凸部４４Ｃと係合凹部４４Ｄとからなる係合部４４’が形成されている。係合凸部４４Ｃの前後方向の幅は、係合凹部４４Ｄの前後方向の幅よりも長くなっている。長手対向平坦部４２Ａの係合凹部４４Ｂの左右方向の幅は、短手平坦部４２Ｂの係合凹部４４Ｄの前後方向の幅よりも長くなっている。長手対向平坦部４２Ａと短手平坦部４２Ｂとには一対の圧入片４５が形成されている。また長手対向平坦部４２Ａと短手平坦部４２Ｂとの上面には、基板はんだ付け部４６が形成されている。基板はんだ付け部４６を介してプラグ側導通部材４０とプラグ側基板（図示せず）とをはんだ付けすることで、プラグコネクタ２０にプラグ側基板（図示せず）が接続される。
【００２４】
２つのプラグ側導通部材４０を中実プラグインシュレータ３０の２つのプラグ側導通部材嵌込凹部３３に嵌め込んで、長手対向平坦部４２Ａ及び短手平坦部４２Ｂの一対の圧入片４５をプラグ側導通部材嵌込凹部３３の三股形状部のそれぞれに圧入することで、中実プラグインシュレータ３０と２つのプラグ側導通部材４０とを結合したプラグコネクタ２０が完成する。
【００２５】
ここで、プラグ側導通部材嵌込凹部３３の深さ（上下方向の深さ（嵌合方向の深さ）及び前後左右方向の深さ（嵌合側面方向の深さ））と、プラグ側導通部材４０の厚みとは、略同一となるように設定されている。またＲ形状部３１Ｃの曲率半径と、Ｒ形状部４３Ａ及びＲ形状部４３Ｂの曲率半径とは、略同一となるように設定されている。従って、中実プラグインシュレータ３０の仕切り壁部３１（中間平坦部３１Ａ、側面平坦部３１Ｂ、Ｒ形状部３１Ｃ）及び四隅肉部３２、並びに、プラグ側導通部材４０の平坦部４１、長手対向平坦部４２Ａと短手平坦部４２Ｂ、及び、Ｒ形状部４３ＡとＲ形状部４３Ｂは、互いに協働して、前後左右方向の四隅の下方（嵌合側）が丸みを帯びた、全体が滑らかな平坦形状（略平坦形状、略直方体形状）をなす「嵌合凸部」を形成する。この「嵌合凸部」において、２つのプラグ側導通部材４０は、中実プラグインシュレータ３０の表面の大部分（一部）を被覆している。
【００２６】
１つの中実プラグインシュレータ３０に２つのプラグ側導通部材４０を嵌め込んだ（圧入した）状態では、中実プラグインシュレータ３０の側面平坦部３１Ｂと、プラグ側導通部材４０の長手対向平坦部４２Ａとが、ともに上下方向に延びる略平坦面として左右方向に並ぶ。
【００２７】
中実プラグインシュレータ３０の側面平坦部３１Ｂとプラグ側導通部材４０の係合凸部４４Ａとは、四隅肉部３２よりも前後方向（短手方向）に突出していない。プラグ側導通部材４０の係合凸部４４Ｃは、四隅肉部３２よりも左右方向（長手方向）に突出している（後述する図１１参照）。
【００２８】
「嵌合凸部」の下方（嵌合側）の面に注目すると、中実プラグインシュレータ３０は、左右方向（長手方向）の中間部に位置する中間平坦部３１Ａを有する。２つのプラグ側導通部材４０は、中間平坦部３１Ａを左右方向（長手方向）の両側部から挟み込むように位置する平坦部（両側平坦部）４１を有する。中間平坦部３１Ａと平坦部（両側平坦部）４１とは、「嵌合凸部」の「略平坦部」を構成する。後述する堅牢性又は誘い込み性の観点から、この「略平坦部」において、２つのプラグ側導通部材４０の平坦部（両側平坦部）４１の面積の総和は、中実プラグインシュレータ３０の中間平坦部３１Ａの面積よりも大きいことが好ましい。
【００２９】
≪リセプタクルコネクタ５０の構成≫
図５〜図８はリセプタクルコネクタ５０の構成を示している。リセプタクルコネクタ５０は、１つのリセプタクルインシュレータ６０と２つのリセプタクル側導通部材（相手方導通部材）７０とを有している。２つのリセプタクル側導通部材７０は同一形状である。
【００３０】
リセプタクルインシュレータ６０は、絶縁性の合成樹脂材料で構成した成形品からなる。リセプタクルインシュレータ６０は、略矩形の底面部６１と、この底面部６１の四方から上方（嵌合側）に立ち上がる立ち上がり壁部６２とを有する有底箱型形状である。前後の立ち上がり壁部６２の左右方向（長手方向）の中間部には、中間仕切りブロック６３が形成されている。立ち上がり壁部６２の前後左右方向の四隅には、角部が丸みを帯びた四隅係合ブロック６４が形成されている。左右の立ち上がり壁部６２の前後方向（短手方向）の中間部には、中間係合ブロック６５が形成されている。前後の立ち上がり壁部６２の中間仕切りブロック６３を挟んだ両側には、立ち上がり壁部６２の高さを一段減じた長手対向係合壁部６６が形成されている。左右の立ち上がり壁部６２の中間係合ブロック６５の直上には、立ち上がり壁部６２の高さを一段減じた短手係合壁部６７が形成されている。リセプタクルインシュレータ６０の下方（嵌合側と反対側）には、左右方向に長く前後方向に短い十字型凸部６８が形成されている。この十字型凸部６８の周囲には、はんだ付け空間６９が形成されている。
【００３１】
２つのリセプタクル側導通部材７０は、それぞれ、リセプタクルインシュレータ６０の立ち上がり壁部６２のうち中間仕切りブロック６３で分断された２つの略コ字形状部に嵌め込まれる略コ字形状を有している。
【００３２】
２つのリセプタクル側導通部材７０は、それぞれ、略コ字形状の対向する二辺から内側に折り曲げられた２つの弾性略逆Ｕ字状係合部７１Ａと、略コ字形状の対向する二辺を接続する一辺から内側に折り曲げられた１つの略逆Ｕ字状係合部７１Ｂとを有している。
【００３３】
弾性略逆Ｕ字状係合部７１Ａは、略逆Ｕ字状係合部７１Ｂよりも弾性変形し易く形成されている。弾性略逆Ｕ字状係合部７１Ａは、折曲部７１Ａ１と、この折曲部７１Ａ１から延びる弾性ロック部（弾性ロック面）７１Ａ２とを有している。弾性ロック部７１Ａ２は、自由状態では、長手対向係合壁部６６との隙間を空けて中間仕切りブロック６３よりも前方または後方に突出している（図５）。弾性ロック部７１Ａ２は、折曲部７１Ａ１を起点にして弾性変形すると、中間仕切りブロック６３よりも長手対向係合壁部６６の側に退避して長手対向係合壁部６６の前後両面に微小クリアランスで対向する（密着する）ように折り曲げられる（後述する図１３）。
【００３４】
略逆Ｕ字状係合部７１Ｂは、第１折曲部７１Ｂ１と、この第１折曲部７１Ｂ１から延びる第２折曲部７１Ｂ２と、この第２折曲部７１Ｂ２から延びるロック部（ロック面）７１Ｂ３とを有している。ロック部（ロック面）７１Ｂ３は、第１折曲部７１Ｂ１と第２折曲部７１Ｂ２とによって二段階で内方に折り曲げられて、略鉛直方向（上下方向）に向いている。これにより、ロック部（ロック面）７１Ｂ３は、短手係合壁部６７の左右両面に微小クリアランスで対向する（密着する）ように折り曲げられている（後述する図１２）。
【００３５】
弾性略逆Ｕ字状係合部７１Ａの内面には、係合凸部７２Ａと係合凹部７２Ｂとからなる係合部７２が形成されている。略逆Ｕ字状係合部７１Ｂの嵌合側（の面）には、係合凸部７２Ｃと係合凹部７２Ｄとからなる係合部７２’が形成されている。弾性略逆Ｕ字状係合部７１Ａの係合凸部７２Ａの左右方向の幅は、略逆Ｕ字状係合部７１Ｂの係合凸部７２Ｃの前後方向の幅よりも長くなっている。さらに左右方向（長手方向）に対向する一対の略逆Ｕ字状係合部７１Ｂ（ロック部７１Ｂ３）を見たとき、一対の係合凸部７２Ｃが互いに最も近づいている。この一対の係合凸部７２Ｃの間の距離は、左右方向（長手方向）に対向する一対のプラグ側導通部材４０の短手平坦部４２Ｂに形成された係合凸部４４Ｃの間の距離よりも僅かに小さく設定されている（図１２）。
【００３６】
２つのリセプタクル側導通部材７０は、それぞれ、略コ字形状の２つの隅部（角部）に位置させた隅部係合孔７３を有している（２つのリセプタクル側導通部材７０が合計４つの隅部係合孔７３を有している）。２つのリセプタクル側導通部材７０は、それぞれ、略コ字形状の対向する二辺に位置させた一対の圧入片７４を有している。２つのリセプタクル側導通部材７０は、それぞれ、略コ字形状の対向する二辺を接続する一辺に位置させた中間係合孔７５を有している。この中間係合孔７５の内面には一対の圧入片７６が形成されている。また、リセプタクル側導通部材７０の略コ字形状の下面には、基板はんだ付け部７７が形成されている。基板はんだ付け部７７を介してリセプタクル側導通部材７０とリセプタクル側基板（図示せず）とをはんだ付けすることで、リセプタクルコネクタ５０にリセプタクル側基板（図示せず）が接続される。
【００３７】
２つのリセプタクル側導通部材７０は、リセプタクルインシュレータ６０の立ち上がり壁部６２のうち中間仕切りブロック６３で分断された２つの略コ字形状部に嵌め込まれる。このとき、長手対向係合壁部６６に弾性略逆Ｕ字状係合部７１Ａが係合し、短手係合壁部６７に略逆Ｕ字状係合部７１Ｂが係合する。また、四隅係合ブロック６４に隅部係合孔７３が係合し、中間係合ブロック６５に中間係合孔７５が係合する。さらに、一対の圧入片７４が中間仕切りブロック６３と四隅係合ブロック６４との間に圧入され、一対の圧入片７６が中間係合ブロック６５に圧入される。このようにして、１つのリセプタクルインシュレータ６０と２つのリセプタクル側導通部材７０とを結合したリセプタクルコネクタ５０が完成する。
【００３８】
リセプタクルインシュレータ６０の底面部６１、立ち上がり壁部６２の四隅の内面及び中間仕切りブロック６３の内面、並びに、リセプタクル側導通部材７０の弾性略逆Ｕ字状係合部７１Ａと略逆Ｕ字状係合部７１Ｂとの内面は、互いに協働して、プラグコネクタ２０の「嵌合凸部」に嵌合する「嵌合凹部」を形成する。２つのリセプタクル側導通部材７０は、「嵌合凹部」の底面部６１には臨んでおらず（露出しておらず）、「嵌合凹部」の内側面だけに臨んでいる（露出している）。またリセプタクルコネクタ５０を平面視したとき、２つのリセプタクル側導通部材７０は、リセプタクルインシュレータ６０の中間仕切りブロック６３、四隅係合ブロック６４、及び中間係合ブロック６５を結んだ仮想平面より内側に位置している。
【００３９】
≪コネクタシステム１０の構成≫
図９−図１４は、プラグコネクタ２０とリセプタクルコネクタ５０とを組み合わせたコネクタシステム１０を示している。コネクタシステム１０は、プラグコネクタ２０の「嵌合凸部」をリセプタクルコネクタ５０の「嵌合凹部」に嵌合して使用される。プラグコネクタ２０の「嵌合凸部」は、前後左右方向の四隅の下方（嵌合側）が丸みを帯びた全体が滑らかな平坦形状（略平坦形状、略直方体形状）をなしている。よって、コネクタシステム１０は、プラグコネクタ２０の「嵌合凸部」及びリセプタクルコネクタ５０の「嵌合凹部」の対向面積（接触面積）を大きく確保することができる。特に、中実プラグインシュレータ３０の中間平坦部３１Ａとプラグ側導通部材４０の平坦部（両側平坦部）４１とが構成する「略平坦部」が、「嵌合凹部」の底面部６１の「略平坦部」に微小クリアランスで平面的に対向する。
【００４０】
また、プラグコネクタ２０の「嵌合凸部」をリセプタクルコネクタ５０の「嵌合凹部」に嵌合した状態では、プラグ側導通部材４０の係合部４４（係合凸部４４Ａ、係合凹部４４Ｂ）とリセプタクル側導通部材７０の係合部７２（係合凸部７２Ａ、係合凹部７２Ｂ）とが互いに係合する。これにより、プラグコネクタ２０に接続されたプラグ側基板（図示せず）とリセプタクルコネクタ５０に接続されたリセプタクル側基板（図示せず）との間における電気信号の伝送又はグランド接続が可能になる。すなわち、「嵌合凸部」を構成するプラグ側導通部材４０は、「嵌合凹部」の内側面に対向して、リセプタクル側導通部材７０と互いに係合する。
【００４１】
≪コネクタシステム１０の作用効果≫
本実施形態のコネクタシステム１０は、プラグインシュレータの内部に誘電率の低い空気（空間）がなくそれよりも誘電率が高い樹脂材料で埋められた中実プラグインシュレータ３０で構成し、この中実プラグインシュレータ３０の表面をプラグ側導通部材４０で被覆した構成となっている。これにより、コネクタシステム１０は、プラグ側導通部材４０のインピーダンスを低く抑えて、安定したグランド性能、信号性能、及び電源性能等を得ることができる。以って、コネクタシステム１０は、モジュール等を誤動作なく安定して駆動することができる。
また、コネクタシステム１０は、プラグ側導通部材４０が中実プラグインシュレータ３０の表面の大部分を被覆する（嵌合凸部に占めるプラグ側導通部材４０の面積が大きい）ので、プラグ側導通部材４０のインピーダンスをさらに低下させることが可能となる。
さらに、コネクタシステム１０は、プラグコネクタ２０とリセプタクルコネクタ５０との嵌合時において、「嵌合凸部」と「嵌合凹部」との間の空隙が小さい（特に中実プラグインシュレータ３０の中間平坦部３１Ａ及びプラグ側導通部材４０の平坦部（両側平坦部）４１が構成する「略平坦部」が、「嵌合凹部」の底面部６１の「略平坦部」に微小クリアランスで平面的に対向する）。従って、コネクタシステム１０は、プラグ側導通部材４０のインピーダンスをより一層効果的に低下させることが可能になる。
以上のように、本実施形態のコネクタシステム１０によれば、安定したグランド性能、信号性能、及び電源性能等を得ることが可能になる。
【００４２】
本実施形態のコネクタシステム１０は、プラグコネクタ２０の「嵌合凸部」が丸みを帯びた滑らかな形状であり、プラグコネクタ２０の下面（嵌合側面）においてプラグ側導通部材４０の面積が中実プラグインシュレータ３０の面積よりも広く、リセプタクルコネクタ５０の弾性略逆Ｕ字状係合部７１Ａ及び略逆Ｕ字状係合部７１Ｂの開放部が広がった形状（開放逆Ｕ字形状）を有している。これにより、位置ズレ嵌合又は平面視で傾いた状態での斜め嵌合などでも、プラグ側導通部材４０とリセプタクル側導通部材７０とが当接し易い。また、コネクタシステム１０は、プラグコネクタ２０の下面（嵌合側面）が略平坦面であるため、挿入時にプラグコネクタ２０をリセプタクルコネクタ５０に引っ掛かり難くすることができる（従来品のコネクタシステムは、プラグコネクタとリセプタクルコネクタとが凹部、貫通孔、又は溝などの空間を有する複雑な形状であるため両コネクタの引っ掛かりが起こるおそれが高い）。さらに、コネクタシステム１０は、小型コネクタにおいても樹脂削れ（カスが異物となって接触不良の原因となる）を抑止し、挿入性及び堅牢性を両立させることができる。
【００４３】
本実施形態のコネクタシステム１０は、左右方向（長手方向）に対向する一対の略逆Ｕ字状係合部７１Ｂ（ロック部７１Ｂ３）を見たとき、一対の係合凸部７２Ｃが互いに最も近づいている。すなわち、この一対の係合凸部７２Ｃの間の距離は、左右方向（長手方向）に対向する一対のプラグ側導通部材４０の短手平坦部４２Ｂに形成された係合凸部４４Ｃの間の距離よりも僅かに小さく設定されている。これにより、プラグコネクタ２０とリセプタクルコネクタ５０とを嵌合させるとき、一対の係合凸部４４Ｃが一対の係合凸部７２Ｃをオーバーラップする形で乗り越えて嵌合（強嵌合）する。その結果、コネクタシステム１０は、プラグ側導通部材４０の短手平坦部４２Ｂとリセプタクル側導通部材７０のロック部（ロック面）７１Ｂ３との嵌合保持力、及び、プラグ側導通部材４０の係合部４４'（係合凸部４４Ｃと係合凹部４４Ｄ）とリセプタクル側導通部材７０の係合部７２'（係合凸部７２Ｃと係合凹部７２Ｄ）とのロック力を向上させることができる。
【００４４】
本実施形態のコネクタシステム１０は、２つのプラグ側導通部材４０が中実プラグインシュレータ３０の仕切り壁部３１によって分断されており（２つのプラグ側導通部材４０の間にクリアランスが設けられており）、２つのリセプタクル側導通部材７０がリセプタクルインシュレータ６０の中間仕切りブロック６３によって分断されている（２つのリセプタクル側導通部材７０の間にクリアランスが設けられている）。これにより、コネクタシステム１０は、２つのプラグ側導通部材４０をプラグ側基板（図示せず）にはんだ付けする際に、隣り合うはんだが短絡するはんだブリッジにより２つのプラグ側導通部材４０が短絡することを防止することができる（２つのプラグ側導通部材４０の絶縁性を確保することができる）。コネクタシステム１０は、２つのリセプタクル側導通部材７０をリセプタクル側基板（図示せず）にはんだ付けする際に、隣り合うはんだが短絡するはんだブリッジにより２つのリセプタクル側導通部材７０が短絡することを防止することができる（２つのリセプタクル側導通部材７０の絶縁性を確保することができる）。
【００４５】
本実施形態のコネクタシステム１０は、プラグインシュレータを、内部に多極のコンタクトが存在しない、すなわち、当該多極のコンタクトを収容する（埋め込む）ための凹部、貫通孔、又は溝等が形成されていない中実プラグインシュレータ３０により構成している。特に、中実プラグインシュレータ３０は、２つのプラグ側導通部材４０の各短手平坦部４２Ｂ（対向側面被覆部）の間に空隙を有していない。しかも、コネクタシステム１０は、プラグ側導通部材を、中実プラグインシュレータ３０の表面の大部分を被覆する２つのプラグ側導通部材４０により構成している。これにより、コネクタシステム１０は、小型化の要求に応えながらも堅牢性を高めて破損又は潰れを防止することができ、しかも部品点数が少ないため製造が容易である。
【００４６】
本実施形態のコネクタシステム１０は、プラグコネクタ２０の「嵌合凸部」をリセプタクルコネクタ５０の「嵌合凹部」に嵌合した状態で、プラグ側導通部材４０の係合凸部４４Ａとリセプタクル側導通部材７０の係合凹部７２Ｂとの係合、及び、プラグ側導通部材４０の係合凹部４４Ｂとリセプタクル側導通部材７０の係合凸部７２Ａとの係合の二重の係合が行われる。これにより、コネクタシステム１０は、プラグコネクタ２０とリセプタクルコネクタ５０との嵌合保持力を向上させることができる。また、コネクタシステム１０は、プラグコネクタ２０の「嵌合凸部」とリセプタクルコネクタ５０の「嵌合凹部」との対向面積（接触面積）を大きくして、両者の間に働く力を分散させて受け止める。従って、コネクタシステム１０は、両者の嵌合安定性を高めることが可能になる。さらに、コネクタシステム１０は、プラグ側導通部材４０とリセプタクル側導通部材７０とのロック効果及び接触（導通）効果を併せ持たせることができる。
【００４７】
本実施形態のコネクタシステム１０は、中実プラグインシュレータ３０の中間平坦部３１Ａとプラグ側導通部材４０の平坦部（両側平坦部）４１とが「略平坦部」を構成しており、「嵌合凹部」の底面部６１が「略平坦部」を構成している。従って、コネクタシステム１０は、これらの「略平坦部」を吸着パッドなどの吸着手段による吸着面とすることができる。これにより、コネクタシステム１０は、製造ラインにおける吸着搬送が容易になる（小型でも吸着面がフラットであるため確実に吸着することができる）。
【００４８】
本実施形態のコネクタシステム１０は、中実プラグインシュレータ３０がプラグ側基板（図示せず）との接触面として十字型凸部３４を有しており、リセプタクルインシュレータ６０がリセプタクル側基板（図示せず）との接触面として十字型凸部６８を有している。これにより、コネクタシステム１０は、コネクタシステム１０（プラグコネクタ２０とリセプタクルコネクタ５０）の堅牢性を向上させるとともに、プラグコネクタ２０とリセプタクルコネクタ５０との嵌合時に外力が加わったとしても十字型凸部３４と十字型凸部６８とがその外力による衝撃を緩和することができる。また、コネクタシステム１０は、はんだ付けの際に、溶融したはんだが中実プラグインシュレータ３０とリセプタクルインシュレータ６０とに接触するのを防止することができる。
【００４９】
本実施形態のコネクタシステム１０は、リセプタクルコネクタ５０を平面視したとき、２つのリセプタクル側導通部材７０が、リセプタクルインシュレータ６０の中間仕切りブロック６３、四隅係合ブロック６４及び中間係合ブロック６５を結んだ仮想平面より内側に位置している。これにより、コネクタシステム１０は、リセプタクルコネクタ５０又はコネクタシステム１０の搬送時にリセプタクル側導通部材７０が衝撃などで破損するのを防止することができる。
【００５０】
本実施形態のコネクタシステム１０は、中実プラグインシュレータ３０の四隅肉部３２が、中実プラグインシュレータ３０の側面平坦部３１Ｂ及びプラグ側導通部材４０の係合凸部４４Ａよりも前後方向（短手方向）に突出している（図１１）。これにより、コネクタシステム１０は、プラグコネクタ２０又はコネクタシステム１０の搬送時にプラグ側導通部材４０が衝撃などで破損するのを防止することができる。
【００５１】
本実施形態のコネクタシステム１０は、２つのプラグ側導通部材４０とプラグ側基板（図示せず）との接続箇所（基板はんだ付け部４６）、及び、２つのリセプタクル側導通部材７０とリセプタクル側基板（図示せず）との接続箇所（基板はんだ付け部７７）がそれぞれ６箇所あるので、基板剥離（はんだ剥離）を防止することができる。
【００５２】
≪コネクタシステム１０の変形例≫
【００５３】
コネクタシステム１０は、プラグコネクタ２０の２つ（２ピン）のプラグ側導通部材４０を１つ（１ピン）にしてもよい。例えば、図１５に示すように、コネクタシステム１０は、中実プラグインシュレータ３０の仕切り壁部３１に左右方向に延びる連通溝３１Ｘを形成し、この連通溝３１Ｘに２つのプラグ側導通部材４０を繋げて１つにする導通接続部４０Ｘを設けることができる。
【００５４】
コネクタシステム１０は、図１６に示すように、リセプタクルコネクタ５０のリセプタクル側導通部材７０の係合部７２（係合凸部７２Ａ、係合凹部７２Ｂ）の両側に一対の電気接点７２Ｘを形成してもよい。これにより、コネクタシステム１０は、プラグ側導通部材４０とリセプタクル側導通部材７０との接触（導通）安定性を高めることができる。
【００５５】
コネクタシステム１０は、中実プラグインシュレータ３０の仕切り壁部３１の中間平坦部３１Ａに「略平坦部」とみなせる程度の微小な凹部を設けてもよい。
【００５６】
コネクタシステム１０は、プラグ側導通部材４０及びリセプタクル側導通部材７０に金めっきを施すことで電気の導電率を向上させてもよい。金めっきを施す箇所には自由度があるが、例えば、プラグ側導通部材４０の嵌合面側、及び／又は、リセプタクル側導通部材７０の左右方向（長手方向）に離間した一対の係合部７２（係合凸部７２Ａ、係合凹部７２Ｂ）に金めっきを施すことができる。
【００５７】
中実プラグインシュレータ３０及び２つのプラグ側導通部材４０、並びに／又は、１つのリセプタクルインシュレータ６０及び２つのリセプタクル側導通部材７０は、必ずしも圧入により一体化することはなく、例えばインサート成形による一体成形品として構成してもよい。
【００５８】
以上の実施形態では、リセプタクル側導通部材７０が、「嵌合凹部」の底面部６１には臨んでおらず「嵌合凹部」の内側面だけに臨んでいる場合を例示して説明した。しかし、リセプタクル側導通部材７０は、「嵌合凹部」の底面部６１だけに臨んでいてもよいし、「嵌合凹部」の底面部６１及び「嵌合凹部」の内側面の双方に臨んでいてもよい。
【符号の説明】
【００５９】
１０  コネクタシステム
２０  プラグコネクタ（コネクタ）
３０  中実プラグインシュレータ（中実インシュレータ）
３１  仕切り壁部（嵌合凸部）
３１Ａ  中間平坦部（嵌合凸部、略平坦部）
３１Ｂ  側面平坦部（嵌合凸部）
３１Ｃ  Ｒ形状部（嵌合凸部）
３１Ｘ  連通溝
３２  四隅肉部（嵌合凸部）
３３  プラグ側導通部材嵌込凹部（導通部材嵌込凹部）
３４  十字型凸部
３５  はんだ付け空間
４０  プラグ側導通部材（導通部材）
４０Ｘ  導通接続部
４１  平坦部（嵌合凸部、両側平坦部、略平坦部）
４２Ａ  長手対向平坦部（嵌合凸部）
４２Ｂ  短手平坦部（嵌合凸部、対向側面被覆部）
４３Ａ  Ｒ形状部（嵌合凸部）
４３Ｂ  Ｒ形状部（嵌合凸部）
４４  係合部
４４Ａ  係合凸部
４４Ｂ  係合凹部
４４’  係合部
４４Ｃ  係合凸部
４４Ｄ  係合凹部
４５  圧入片
４６  基板はんだ付け部
５０  リセプタクルコネクタ（相手方コネクタ）
６０  リセプタクルインシュレータ
６１  底面部（嵌合凹部、略平坦部）
６２  立ち上がり壁部（嵌合凹部）
６３  中間仕切りブロック（嵌合凹部）
６４  四隅係合ブロック
６５  中間係合ブロック
６６  長手対向係合壁部
６７  短手係合壁部
６８  十字型凸部
６９  はんだ付け空間
７０  リセプタクル側導通部材（相手方導通部材）
７１Ａ  弾性略逆Ｕ字状係合部（嵌合凹部）
７１Ａ１  折曲部
７１Ａ２  弾性ロック部（弾性ロック面）
７１Ｂ  略逆Ｕ字状係合部（嵌合凹部）
７１Ｂ１  第１折曲部
７１Ｂ２  第２折曲部
７１Ｂ３  ロック部（ロック面）
７２  係合部
７２Ａ  係合凸部
７２Ｂ  係合凹部
７２’  係合部
７２Ｃ  係合凸部
７２Ｄ  係合凹部
７２Ｘ  電気接点
７３  隅部係合孔
７４  圧入片
７５  中間係合孔
７６  圧入片
７７  基板はんだ付け部
【図１】
2017064825.tif 000003
【図２】
2017064825.tif 000004
【図３】
2017064825.tif 000005
【図４】
2017064825.tif 000006
【図５】
2017064825.tif 000007
【図６】
2017064825.tif 000008
【図７】
2017064825.tif 000009
【図８】
2017064825.tif 000010
【図９】
2017064825.tif 000011
【図１０】
2017064825.tif 000012
【図１１】
2017064825.tif 000013
【図１２】
2017064825.tif 000014
【図１３】
2017064825.tif 000015
【図１４】
2017064825.tif 000016
【図１５】
2017064825.tif 000017
【図１６】
2017064825.tif 000018
【国際調査報告】
2017064825.tif 000019
2017064825.tif 000020
2017064825.tif 000021
2017064825.tif 000022